(57)【要約】【課題】入力装置における入力色域上の画像データを出力装置における出力色域内に変換する際に用いられる色域写像処理において、出力目的に応じた外郭写像手法の設定を可能とし、さらに外郭写像手法によらない色域内写像を行う。【解決手段】入力装置における入力色域内の画像データを出力装置における出力色域内の画像データに変換する画像処理装置であって、以下の機能を備える。すなわち、入力色域から出力色域への外郭写像手法を設定し（Ｓ３０１〜Ｓ３０３）、該設定された外郭写像手法により、入力色域の外郭色度点を出力色域内に写像する（Ｓ３０４，Ｓ３０５）。さらに、該外郭写像手段で写像された出力色域内の色度点に基づいて、入力色域内入力色度点を出力色域内の色度点に写像する（Ｓ３０６）。これら外郭写像結果および色域内写像結果に基づいて、色変換プロファイルを作成する（Ｓ３０９，Ｓ３１０）。これにより、色変換後の画像においてユーザの所望する色再現が可能となる。【選択図】  図３
2008187515.tif 000002
【特許請求の範囲】
【請求項１】
入力装置における入力色域内の画像データを出力装置における出力色域内の画像データに変換する画像処理装置であって、
入力色域から出力色域への外郭写像手法を設定する外郭写像設定手段と、
前記外郭写像設定手段で設定された外郭写像手法により、入力色域の外郭色度点を出力色域内の色度点に写像する外郭写像手段と、
前記外郭写像手段で写像された出力色域内の色度点に基づいて、前記入力色域内の入力色度点を出力色域内の色度点に写像する色域内写像手段と、
前記外郭写像手段および前記色域内写像手段によって写像された出力色域内の色度点に基づいて、色変換プロファイルを作成する色変換処理手段と、
を有することを特徴とする画像処理装置。
【請求項２】
前記色域内写像手段はさらに、
前記入力色域内における入力色度点と等色相かつ等明度である、入力色域外郭上の入力外郭点を取得する入力外郭色度点取得手段と、
出力色域の内部に内部領域を設定する内部領域設定手段と、
前記入力色度点の明度値に対して明度変換パラメータに基づく明度変換を行って出力色域の明度範囲内の明度値に変換する明度変換手段と、
前記明度変換手段で変換された明度値に対する等明度線と、前記内部領域外郭との交点を境界点として設定する境界点設定手段と、
前記境界点と等明度である前記内部領域内の線分領域を第１写像線分として設定し、かつ、出力色域における前記内部領域外の領域内に、前記外郭写像手段で写像された色度点と前記境界点とを結ぶ第２写像線分を設定する写像線設定手段と、
前記入力色度点の彩度が前記境界点の彩度以下である場合に前記第１写像線分上に写像点を決定し、前記入力色度点の彩度が前記境界点の彩度よりも高い場合に前記第２写像線分上に写像点を決定する写像点決定手段と、
を有することを特徴とする請求項１に記載の画像処理装置。
【請求項３】
前記第２写像線分は、前記外郭写像手段で写像された色度点と前記境界点とを結ぶ曲線であることを特徴とする請求項２に記載の画像処理装置。
【請求項４】
前記写像点決定手段は、高彩度ほど彩度の圧縮率が大きくなるように写像点を決定することを特徴とする請求項２または３に記載の画像処理装置。
【請求項５】
前記外郭写像手段はさらに、
入力色域における色相断面上の最大彩度点について、出力色域外郭上の写像点を決定する最大彩度点写像手段と、
入力色域外郭上において前記最大彩度点と白色点との中間にハイライト境界点を設定するハイライト境界設定手段と、
入力色域外郭上において前記最大彩度点と黒色点との中間にシャドウ境界点を設定するシャドウ境界設定手段と、
入力色域外郭上において前記白色点と前記ハイライト境界の間にあるハイライト領域入力点について、出力色域外郭上の写像点を決定するハイライト外郭写像手段と、
入力色域外郭上において前記黒色点と前記シャドウ境界の間にあるシャドウ領域入力点について、出力色域外郭上の写像点を決定するシャドウ外郭写像手段と、
入力色域外郭上において前記ハイライト境界点から前記最大彩度点を経由して前記シャドウ境界点までの間にある高彩度領域入力点について、出力色域外郭上の写像点を決定する高彩度領域外郭写像手段と、
を有することを特徴とする請求項１乃至４のいずれか１項に記載の画像処理装置。
【請求項６】
前記ハイライト外郭写像手段は、前記ハイライト領域入力点について、出力色域外郭に対して彩度と明度に基づく距離が最短である色度点を写像点として決定することを特徴とする請求項５に記載の画像処理装置。
【請求項７】
前記シャドウ外郭写像手段は、前記シャドウ領域入力点について、出力色域外郭上の等明度色度点を写像点として決定することを特徴とする請求項５に記載の画像処理装置。
【請求項８】
前記シャドウ外郭写像手段は、前記シャドウ領域入力点について、出力色域外郭における、等明度色度点および彩度と明度に基づく距離が最短である色度点を、重み付け合成することによって写像点を決定することを特徴とする請求項５に記載の画像処理装置。
【請求項９】
前記ハイライト外郭写像手段は、入力色域明度範囲と出力色域の明度範囲が異なる場合に、前記ハイライト領域入力点の明度値に対して明度変換パラメータに基づく明度変換を行った仮色度点について、出力色域外郭上の写像点を決定することを特徴とする請求項５に記載の画像処理装置。
【請求項１０】
前記シャドウ外郭写像手段は、入力色域明度範囲と出力色域の明度範囲が異なる場合に、前記シャドウ領域入力点の明度値に対して明度変換パラメータに基づく明度変換を行った仮色度点について、出力色域外郭上の写像点を決定することを特徴とする請求項５に記載の画像処理装置。
【請求項１１】
前記高彩度領域外郭写像手段は、出力色域外郭における前記ハイライト境界点と前記最大彩度点および前記シャドウ境界点の写像点による明度範囲に対し、入力色域における前記ハイライト境界点と前記最大彩度点の明度範囲について正規化した明度に基づき、出力色域外郭上の写像点を決定することを特徴とする請求項５に記載の画像処理装置。
【請求項１２】
さらに、複数の異なる外郭写像手法を格納する外郭写像手法格納手段を有し、
前記外郭写像設定手段は、前記外郭写像手法格納手段に格納された複数の外郭写像手法から外郭写像手法を選択することを特徴とする請求項１乃至１１のいずれか１項に記載の画像処理装置。
【請求項１３】
さらに、前記外郭写像設定手段で設定された外郭写像手法による写像結果を表示する写像結果表示手段を有することを特徴する請求項１２に記載の画像処理装置。
【請求項１４】
前記写像結果表示手段は、前記外郭写像設定手段で選択可能な外郭写像手法による写像結果を表示することを特徴する請求項１３に記載の画像処理装置。
【請求項１５】
入力装置における入力色域内の画像データを出力装置における出力色域内で再現可能となるように変換する画像処理装置であって、
入力色域の外郭色度点を出力色域内の色度点に写像する外郭写像手段と、
前記外郭写像手段によって写像された出力色域内の色度点に基づいて、色変換プロファイルを作成する色変換処理手段と、を有し、
前記外郭写像手段はさらに、
入力色域における色相断面上の最大彩度点について、出力色域外郭上の写像点を決定する最大彩度点写像手段と、
入力色域外郭上において前記最大彩度点と白色点との中間にハイライト境界点を設定するハイライト境界設定手段と、
入力色域外郭上において前記最大彩度点と黒色点との中間にシャドウ境界点を設定するシャドウ境界設定手段と、
入力色域外郭上において前記白色点と前記ハイライト境界の間にあるハイライト領域入力点について、出力色域外郭上の写像点を決定するハイライト外郭写像手段と、
入力色域外郭上において前記黒色点と前記シャドウ境界の間にあるシャドウ領域入力点について、出力色域外郭上の写像点を決定するシャドウ外郭写像手段と、
入力色域外郭上において前記ハイライト境界点から前記最大彩度点を経由して前記シャドウ境界点までの間にある高彩度領域入力点について、出力色域外郭上の写像点を決定する高彩度領域外郭写像手段と、
を有することを特徴とする画像処理装置。
【請求項１６】
入力装置における入力色域内の画像データを出力装置における出力色域内で再現可能となるように変換する画像処理装置の制御方法であって、
外郭写像設定手段が、入力色域から出力色域への外郭写像手法を設定する外郭写像設定ステップと、
外郭写像手段が、前記外郭写像設定ステップにおいて設定された外郭写像手法により、入力色域の外郭色度点を出力色域内の色度点に写像する外郭写像ステップと、
色域内写像手段が、前記外郭写像ステップにおいて写像された出力色域内の色度点に基づいて、前記入力色域内の入力色度点を出力色域内の色度点に写像する色域内写像ステップと、
色変換処理手段が、前記外郭写像ステップおよび前記色域内写像ステップにおいて写像された出力色域内の色度点に基づいて、色変換プロファイルを作成する色変換処理ステップと、
を有することを特徴とする画像処理装置の制御方法。
【請求項１７】
前記色域内写像ステップにおいてはさらに、
入力外郭色度点取得手段が、前記入力色域内における入力色度点と等色相かつ等明度である、入力色域外郭上の入力外郭点を取得する入力外郭色度点取得ステップと、
内部領域設定手段が、出力色域の内部に内部領域を設定する内部領域設定ステップと、
明度変換手段が、前記入力色度点の明度値に対して明度変換パラメータに基づく明度変換を行って出力色域の明度範囲内の明度値に変換する明度変換ステップと、
境界点設定手段が、前記明度変換ステップにおいて変換された明度値に対する等明度線と、前記内部領域外郭との交点を境界点として設定する境界点設定ステップと、
写像線設定手段が、前記境界点と等明度である前記内部領域内の線分領域を第１写像線分として設定し、かつ、出力色域における前記内部領域外の領域内に、前記外郭写像手段で写像された色度点と前記境界点とを結ぶ第２写像線分を設定する写像線設定ステップと、
写像点決定手段が、前記入力色度点の彩度が前記境界点の彩度以下である場合に前記第１写像線分上に写像点を決定し、前記入力色度点の彩度が前記境界点の彩度よりも高い場合に前記第２写像線分上に写像点を決定する写像点決定ステップと、
を有することを特徴とする請求項１６記載の画像処理装置の制御方法。
【請求項１８】
前記外郭写像ステップにおいてはさらに、
最大彩度点写像手段が、入力色域における色相断面上の最大彩度点について、出力色域外郭上の写像点を決定する最大彩度点写像ステップと、
ハイライト境界設定手段が、入力色域外郭上において前記最大彩度点と白色点との中間にハイライト境界点を設定するハイライト境界設定ステップと
シャドウ境界設定手段が、入力色域外郭上において前記最大彩度点と黒色点との中間にシャドウ境界点を設定するシャドウ境界設定ステップと
ハイライト外郭写像手段が、入力色域外郭上において前記白色点と前記ハイライト境界の間にあるハイライト領域入力点について、出力色域外郭上の写像点を決定するハイライト外郭写像ステップと、
シャドウ外郭写像手段が、入力色域外郭上において前記黒色点と前記シャドウ境界の間にあるシャドウ領域入力点について、出力色域外郭上の写像点を決定するシャドウ外郭写像ステップと、
高彩度領域外郭写像手段が、入力色域外郭上において前記ハイライト境界点から前記最大彩度点を経由して前記シャドウ境界点までの間にある高彩度領域入力点について、出力色域外郭上の写像点を決定する高彩度領域外郭写像ステップと、
を有することを特徴とする請求項１６または１７に記載の画像処理装置の制御方法。
【請求項１９】
前記外郭写像設定ステップにおいては、外郭写像手法格納手段に予め格納された複数の異なる外郭写像手法から外郭写像手法を選択することを特徴とする請求項１６乃至１８のいずれか１項に記載の画像処理装置の制御方法。
【請求項２０】
さらに、写像結果表示手段が、前記外郭写像設定ステップにおいて設定された外郭写像手法による写像結果を表示する写像結果表示ステップを有することを特徴する請求項１９に記載の画像処理装置の制御方法。
【請求項２１】
前記写像結果表示ステップにおいては、前記外郭写像設定ステップにおいて選択可能な外郭写像手法による写像結果を表示することを特徴する請求項２０に記載の画像処理装置の制御方法。
【請求項２２】
コンピュータ上で実行されることによって、該コンピュータを請求項１乃至１５のいずれか１項に記載の画像処理装置として機能させることを特徴とするコンピュータプログラム。
【請求項２３】
請求項２２に記載のコンピュータプログラムを記録したことを特徴とするコンピュータ読み取り可能な記録媒体。
【発明の詳細な説明】
【技術分野】
【０００１】
本発明は画像処理装置およびその制御方法に関し、特に、入力色域と出力色域間における色変換処理を行う画像処理装置及びその制御方法に関する。
【背景技術】
【０００２】
一般に、入力装置における入力色域上の画像データを、出力装置における出力色域内において再現する場合、入力色域と出力色域の大きさが一致していることは少ない。例えば、一般にモニタやデジタルカメラの再現色空間として用いられる標準色空間のｓＲＧＢ色空間、もしくは拡張色空間のＡｄｏｂｅＲＧＢ等の入力色域に対して、主な出力装置であるプリンタの出力色域は小さい場合が多い。よって、入力色域内の色度データが出力色域内の色度データとして再現可能となるように、色域圧縮（または拡張）を伴う写像処理が行われている。
【０００３】
この写像処理においては、入力色域の入力色を出力色域内の色に変換するための色相補正、明度圧縮処理、および彩度圧縮処理が主に行われている。例えば、入力色域内色を出力色域内色に再現するための写像処理として、まず均等色空間における原点軸上に収束点を設定し、該収束点と入力色点を結ぶ写像線上に沿って写像点を決定する処理が知られている。
【０００４】
しかしながら、入力色域外郭上の入力色についても同様の手法を適用すると、入力色域と出力色域の形状の違いから、特に任意入力色域の最大彩度点や外郭上の色度点と、出力色域における写像再現色について明度彩度再現が大きく変化してしまう。したがって、印象が一致する色としての評価が低かった。
【０００５】
そこで従来では、より高精度な色再現性を実現するために、以下のような技術が提案されている。
【０００６】
第１に、ユーザが所望する画像品質を得るために、画像再現に応じた写像手法を選択する技術が提案されている（例えば、特許文献１参照）。
【０００７】
第２に、入力色域を出力色域に写像する写像処理において、外郭写像処理の一部である重要色（プライマリカラー）を含む入力色域の任意色相における入力最大彩度色について、予め出力色域上の写像点を設定する技術が提案されている。（例えば、特許文献２，３参照）。
【０００８】
第３に、入力色域を出力色域に写像する写像処理において、入力色域外郭色を出力色域外郭色に写像する外郭写像処理と、入力色域内色を出力色域内色に写像する内部写像処理とを、それぞれ独立に制御する技術が提案されている。（例えば、特許文献４，５参照）。
【特許文献１】特開2005-318491号公報
【特許文献２】特許3515885号公報
【特許文献３】特開2000−022978号公報
【特許文献４】特開2003−323609号公報
【特許文献５】特開2001−103329号公報
【発明の開示】
【発明が解決しようとする課題】
【０００９】
しかしながら、上記第１の技術として特許文献１に記載された、ユーザが写像手法を選択する方法によれば、詳細な設定が予めなされた全体的な写像処理を選択していた。すなわち、色相、明度、彩度再現の傾向や、色域外写像、色域外郭写像、色域内部写像処理について、再現画像によって特定の写像手法を用いるように予め決定された、全体的な写像処理についての選択を行っていた。したがって、入力色域や出力色域の形状や、重要色（プライマリカラー）や階調再現のような部分的に所望され優先される色再現性等に応じて、写像手法を細かく設定することはできなかった。
【００１０】
また、上記第２の技術として説明した、入力最大彩度色の写像点を予め設定しておく方法によれば、以下のような問題があった。
【００１１】
上述したように、入力色域に対して出力色域は小さいことが多く、そのような出力色域に対して最大彩度点写像を行った場合、最大彩度入力色からの彩度の低下や明度再現の変化が生じることによって、写像後に再現される色が入力色と異なってしまう。したがって、最大彩度入力色と出力色域における再現色の色みを近づけるための手法として、以下のような写像方法が知られている。まず、出力色域の対応写像色相上の最大彩度点を写像点として決定する写像方法がある。また、出力色域における入力点との色差最小点もしくは写像色相断面における入力点との明度彩度距離最小点を写像点とする手法がある。ここで、前者の手法においては入力色の彩度を保存することを優先しており、また後者の手法においては均等色空間上における色差を最小にすることで入力色と出力色の色みを合わせようとしている。
【００１２】
しかしながら、実際に上記両者の手法を用いて実際に入力色域から出力色域への写像を行うと、前者については彩度の再現性は確かに向上するが、特にプリンタの出力色域においては最大彩度の明度が入力色域の最大彩度点よりも大きく低下している場合が多い。したがって、明度再現の低下により色再現については知覚的に一致しない。さらに後者についても、彩度もしくは明度の違いにより色再現については知覚的に一致しない。
【００１３】
上記特許文献２，３に記載された技術は、色域写像において入力色域外郭の最大彩度点を出力色域外郭上に対して色差最小に写像する写像処理であるため、上記問題を解決するには至っていない。さらに、外郭写像以外の明度圧縮処理された入力色空間における出力色域外色度点領域に対する色域内部処理においても、外郭上の点に写像しているため、色域内の色についての移動は行われていない。よって、実際の画像再現においては階調性の損失率が高くなってしまう。また写像方向についても、白色，黒色付近では明度一定の写像方向となるよう制御されているため、色域外色について、より階調性の損失が発生してしまう。
【００１４】
また、上記第３の技術として説明した、外郭写像処理と内部写像処理を独立に制御する方法によれば、以下のような問題があった。
【００１５】
上記特許文献４に記載された技術においては、外郭写像と内部写像を独立に制御し、また、出力色域内色についても彩度圧縮を行うことで、上記特許文献２，３における階調性の損失という問題を回避することができる。しかしながら、上記特許文献４に記載された技術によれば、入力最大彩度点を出力最大彩度に写像しており、また、写像処理における共通の１点のアンカーポイントについて移動処理を行っている。また、アンカーポイントと入力点を結ぶ写像線上に、アンカーポイントと入力色域外郭交点間距離および出力色域外郭交点間距離および入力点間距離による内分比を用いて写像点を決定している。よって、このような収束点を設定する写像処理においては、入力色域内色再現について、明度彩度の両方について圧縮処理による値の変化が生じている。
【００１６】
ここで、明度圧縮については、入力明度範囲を出力明度範囲内に印象を一致させ、かつ、好ましく再現するためには、Ｓ字カーブ様の明度圧縮カーブを用いた処理を行うことが一般的である。よって、特に低彩度領域の明度再現については明度圧縮用のＳ字カーブに沿った明度圧縮が行われることが望ましい。しかしながら、上記特許文献４に記載された技術では、以下のよう制御を行わない限り、低彩度領域再現における明度再現は明度圧縮カーブと異なる再現になってしまう。すなわち、アンカーポイントとその移動点が明度圧縮用のＳ字カーブと等明度直線との交点に重なり、かつ、アンカーポイントによる写像線上の写像結果の明度値が明度圧縮カーブの明度変化の傾向に一致する制御を行う必要がある。
【００１７】
このように、上記特許文献４に記載された技術では、特に低彩度領域における明度の制御を行うことが困難であり、入力画像と出力画像の色再現性において印象が一致した好ましい明度再現とはならない。また彩度圧縮についても、印象を一致させた好ましい色再現を実現するためには、低彩度領域の彩度圧縮率と高彩度領域における彩度圧縮率を異なる傾向に制御し、高彩度領域であるほど高圧縮率を適用する彩度圧縮を用いる必要がある。
【００１８】
また、上記特許文献５に記載された技術によれば、まず、入力色域と出力色域において共通領域を設定する。そして、アンカーポイントを設定して求められる入力色域外郭点に外郭写像処理を実施した結果について、アンカーポイントによる写像線と上記共通領域によって設定される写像線によって、色域内写像処理が独立に行われる。
【００１９】
しかしながら、上記特許文献５に記載された技術においても、１点のアンカーポイントを設定して写像を行うため、明度再現について上記特許文献４と同様の問題が発生する。さらに、共通領域を設定することによって定義される写像線について、もうひとつの決定要因である外郭写像処理結果によっては大きな明度反転が発生してしまうという問題も生じてしまう。
【００２０】
また、上記特許文献５に記載された技術による外郭写像処理では、出力色域におけるＲＧＢ対応点を求めることによって外郭写像点を決定している。しかしながら、ＲＧＢ値と出力色域の対応色について明度や階調再現にゆがみがある場合、印象が一致する再現色とはならないという問題がある。
【００２１】
本発明は上述した問題を解決するためになされ、入力装置における入力色域上の画像データを出力装置における出力色域内に変換する色域写像処理において、以下の機能を有する画像処理装置およびその制御方法を提供することを目的とする。すなわち、出力目的に応じて外郭写像手法の設定を可能とし、さらに外郭写像手法によらない色域内写像を行うことにより、色域写像処理においてユーザが所望する適切な色再現を実現する。
【課題を解決するための手段】
【００２２】
上記問題を解決し、目的を達成するための一手段として、本発明は以下の構成を備える。
【００２３】
すなわち、入力装置における入力色域内の画像データを出力装置における出力色域内の画像データに変換する画像処理装置であって、入力色域から出力色域への外郭写像手法を設定する外郭写像設定手段と、前記外郭写像設定手段で設定された外郭写像手法により、入力色域の外郭色度点を出力色域内の色度点に写像する外郭写像手段と、前記外郭写像手段で写像された出力色域内の色度点に基づいて、前記入力色域内の入力色度点を出力色域内の色度点に写像する色域内写像手段と、前記外郭写像手段および前記色域内写像手段によって写像された出力色域内の色度点に基づいて、色変換プロファイルを作成する色変換処理手段と、を有することを特徴とする。
【００２４】
例えば、前記色域内写像手段はさらに、前記入力色域内における入力色度点と等色相かつ等明度である、入力色域外郭上の入力外郭点を取得する入力外郭色度点取得手段と、出力色域の内部に内部領域を設定する内部領域設定手段と、前記入力色度点の明度値に対して明度変換パラメータに基づく明度変換を行って出力色域の明度範囲内の明度値に変換する明度変換手段と、前記明度変換手段で変換された明度値に対する等明度線と、前記内部領域外郭との交点を境界点として設定する境界点設定手段と、前記境界点と等明度である前記内部領域内の線分領域を第１写像線分として設定し、かつ、出力色域における前記内部領域外の領域内に、前記外郭写像手段で写像された色度点と前記境界点とを結ぶ第２写像線分を設定する写像線設定手段と、前記入力色度点の彩度が前記境界点の彩度以下である場合に前記第１写像線分上に写像点を決定し、前記入力色度点の彩度が前記境界点の彩度よりも高い場合に前記第２写像線分上に写像点を決定する写像点決定手段と、を有することを特徴とする。
【００２５】
例えば、前記外郭写像手段はさらに、入力色域における色相断面上の最大彩度点について、出力色域外郭上の写像点を決定する最大彩度点写像手段と、入力色域外郭上において前記最大彩度点と白色点との中間にハイライト境界点を設定するハイライト境界設定手段と、入力色域外郭上において前記最大彩度点と黒色点との中間にシャドウ境界点を設定するシャドウ境界設定手段と、入力色域外郭上において前記白色点と前記ハイライト境界の間にあるハイライト領域入力点について、出力色域外郭上の写像点を決定するハイライト外郭写像手段と、入力色域外郭上において前記黒色点と前記シャドウ境界の間にあるシャドウ領域入力点について、出力色域外郭上の写像点を決定するシャドウ外郭写像手段と、入力色域外郭上において前記ハイライト境界点から前記最大彩度点を経由して前記シャドウ境界点までの間にある高彩度領域入力点について、出力色域外郭上の写像点を決定する高彩度領域外郭写像手段と、を有することを特徴とする。
【発明の効果】
【００２６】
以上の構成からなる本発明によれば、出力目的に応じて外郭写像手法の設定を可能とし、さらに外郭写像手法によらない色域内写像を行うことにより、色域写像処理においてユーザが所望する適切な色再現が実現される。
【発明を実施するための最良の形態】
【００２７】
以下、添付の図面を参照して、本発明をその好適な実施形態に基づいて詳細に説明する。なお、以下の実施形態において示す構成は一例に過ぎず、本発明は図示された構成に限定されるものではない。
【００２８】
＜第１実施形態＞
●装置構成
図１は、本実施形態に係る画像処理装置の概要構成を示すブロック図である。本実施形態の画像処理装置は、ホストコンピュータ上においてプログラムが実行されることによって実現される。同図において、ＣＰＵ１０１は、ＲＯＭ１０２に記憶されている情報データや各種プログラムに従って、ＲＡＭ１０３、操作部１０４、画像処理部１０５、モニタ１０６、入力デバイス１０７、出力デバイス１０８の各種制御を行う。なお、ＲＯＭ１０２に記憶されている各種プログラムとしては、制御プログラムやＯＳ（オペレーティングシステム）、アプリケーションプログラム（以下、アプリケーション）、カラーマッチング処理モジュール、デバイスドライバ等がある。
【００２９】
入力デバイス１０７は、ＣＣＤセンサを含むイメージスキャナ等の画像読取装置や測色装置によって実現され、プロファイルの作成対象となる任意の色空間情報データを、画像処理装置（ホストコンピュータ）に入力する。また出力デバイス１０８は、インクジェットプリンタ、熱転写プリンタ、ドットプリンタ等によって実現され、画像を出力する。
【００３０】
ＲＡＭ１０３は、各種制御プログラムや操作部１０４から入力されるデータの作業領域及び一時待避領域として利用される。操作部１０４は、ユーザ操作に基づいて出力デバイス１０８の設定やデータの入力を行う。画像処理部１０５は、本実施形態における写像手法の選択処理および写像処理、プロファイル作成処理を含む画像処理を行う。モニタ１０６は、画像処理部１０５の処理結果や操作部１０４で入力されたデータ等を表示する。
【００３１】
本実施形態における最も特徴的な構成は画像処理部１０５である。画像処理部１０５においては、入力画像データを出力色空間内再現色に変換するためのプロファイル作成が行われるが、その際に実行される外郭写像手法を選択可能としたことを特徴とする。
【００３２】
図２に、画像処理部１０５の詳細構成を示す。同図において、２０１は写像パラメータ作成部、２０２は色変換プロファイル作成部、２０５は入力色域記憶部、２０６はプリンタ色域記憶部である。
【００３３】
入力色域記憶部２０５は、モニタ１０６や入力デバイス１０７等の入力手段によって入力される画像データにおける、実際の再現色域に関する情報である入力色域情報を記憶している。またプリンタ色域記憶部２０６は、出力デバイス１０８としてのプリンタの色再現域情報を記憶している。
【００３４】
写像パラメータ作成部２０１は、入力色空間を出力色空間内の好ましい再現色へ変換する際に参照される色変換パラメータ（写像パラメータ）を作成する。ここで決定された写像パラメータは、後述する色域写像部２１１での写像処理において用いられる。
【００３５】
写像パラメータ作成部２０１は、外郭写像手法格納部２０７、外郭写像手法設定部２０８、外郭写像点設定部２０９、外郭写像点格納部２１０、により構成される。外郭写像手法格納部２０７には、入力色域を出力色域に写像するための複数の外郭写像手法を、端子２０３を介して獲得し、格納している。外郭写像手法設定部２０８には、ユーザが操作部１０４のＵ／Ｉを介して選択した写像手法を示す信号が端子２０４を介して入力される。すると外郭写像手法設定部２０８は、予め外郭写像手法格納部２０７に格納されている複数の外郭写像手法を参照して、ユーザが選択した写像手法を、実際に利用するカスプ写像手法として設定する。すると外郭写像点設定部２０９は、入力色域記憶部２０５およびプリンタ色域記憶部２０６を参照して、設定された外郭写像手法による外郭写像点を獲得する。すなわち、入力色域における入力信号を出力色域における出力信号に変換するための写像処理の一部である外郭写像処理として、外郭写像手法設定部２０８で選択された外郭写像手法を用いた入力色度点の出力外郭上への写像処理を実施し、該写像結果を獲得する。該写像結果は色度座標点として獲得され、外郭写像点格納部２１０に格納される。
【００３６】
色変換プロファイル作成部２０２では実際の写像処理を行う。すなわち、まず色域写像部２１１において、入力色域記憶部２０５内の入力色空間情報と、プリンタ色域記憶部２０６内のプリンタ色再現域情報、および外郭写像点格納部２１０内の外郭写像点データに基づき、入力色空間信号の写像処理を行う。プロファイル作成部２１２は、色域写像部２１１における写像処理結果をうけて、入力データからプリンタ出力要素データへの変換用プロファイルを作成し、該プロファイルをプロファイル格納部２１３へ格納する。該格納されたプロファイルは、端子２１４を介して出力デバイス１０８へ渡され、出力デバイス１０８において該プロファイルによる色補正処理が行われる。
【００３７】
●プロファイル作成処理
以下、画像処理部１０５における、入力カラー画像信号を出力機器における画像信号に変換するプロファイルの作成処理について、図３のフローチャートを用いて説明する。特に、外郭写像処理手法の選択と、該選択された写像処理を行うためのプロファイル作成処理について説明する。
【００３８】
まずステップＳ３０１において、入力色域記憶部２０５内の入力色空間情報と、プリンタ色域記憶部２０６内のプリンタ色再現域情報を獲得する。
【００３９】
次にステップＳ３０２において、ユーザは入力色空間とプリンタ色再現域に対して所望の色再現効果を実現する外郭写像手法を、予め外郭写像手法格納部２０７に予め格納されている複数手法の中から選択する。ここで選択された外郭写像手法が、外郭写像手法設定部２０８に設定される。
【００４０】
ここで図４に、外郭写像手法格納部２０７における外郭写像手法の格納例を示す。同図に示すように格納された写像手法４０２〜４０５はそれぞれ、インデックス４０６、写像手法ラベル４０７、写像アルゴリズム４０８の各項目によって構成されている。
【００４１】
ユーザは、外郭写像手法設定部２０８を介して、外郭写像手法格納部２０７内に写像手法ラベル４０７として格納された写像手法名称を参照して、写像手法の選択を行う。このとき外郭写像手法設定部２０８に対し、ユーザによって選択された写像手法に対応するインデックスが、指定写像手法として設定される。すると外郭写像手法設定部２０８は、このように設定されたインデックスに対応する写像アルゴリズム４０８を、外郭写像点設定部２０９における外郭写像アルゴリズムとして設定する。ここで、外郭写像手法格納部２０７内の写像アルゴリズム４０８として、外郭写像点設定部２０９で対応可能とする写像手法のいずれかを示す指定情報を予め格納しておくような構成としても良い。この場合、外郭写像手法設定部２０８が該指定情報を外郭写像点設定部２０９に渡すことで、対応する写像手法が有効となる。
【００４２】
図４において、写像手法４０２としては、印象が一致するような色再現性を実現する外郭写像手法の一例が格納されている。また写像手法４０３としても同様に、印象が一致するような色再現性を実現する、写像手法４０２とは異なる外郭写像手法が格納されている。また写像手法４０４としては、一般的なガンマ設定値を用いた外郭写像手法が格納されている。すなわち、入力色域における白色点と入力色域の最大彩度点間における明度範囲、もしくは黒色点と入力色域の最大彩度点間の明度範囲において、出力色域に対して同様の明度範囲の間に、ガンマ設定値を用いた写像を行う手法である。また、写像手法４０５としては、ユーザによって設定された任意の外郭写像手法が格納されているが、特に外部のファイルを指定するものであっても良い。なお、各手法の詳細については後述する。
【００４３】
図３に戻り、次にステップＳ３０３において、写像処理のための入力色域上の座標点が入力データとして獲得される。次にステップＳ３０４では、ステップＳ３０３で獲得された入力色度点に基づいて、出力色域上の外郭写像点を、ステップＳ３０２で獲得された外郭写像手法を用いて写像し、外郭写像点を獲得する。次にステップＳ３０５において、ステップＳ３０４で獲得された入力色度点に対応した外郭写像色度点データを、外郭写像点格納部２１０に格納する。
【００４４】
そしてステップＳ３０６において、入力色度点の写像処理として、ステップＳ３０５で格納された外郭写像点に基づいて、入力色度点の出力色域への内部写像処理が行われる。このとき、入力色度点が入力色域内の色度点であれば出力色域内の色度点に写像される。よって、入力色度点が入力色域外郭上の色度点であれば、出力色域外郭上の色度点である外郭写像点が写像点として決定される。
【００４５】
次にステップＳ３０７において、ステップＳ３０６で獲得された入力色度点における出力写像点データが、色域写像部２１１に格納される。そしてステップＳ３０８において、写像処理における全ての入力色度点について処理が終了したか否かを判断し、全ての入力色度点についての処理が終了していない場合にはステップＳ３０３に戻り、ステップＳ３０３〜Ｓ３０７までの処理を繰り返す。全ての入力色度点について処理が終了した場合には、プロファイル作成部２１２において、ステップＳ３０９で色域写像部２１１に格納された出力写像点データを参照して色補正プロファイルを作成する。そしてステップＳ３１０において、該作成された色補正プロファイルがプロファイル格納部２１３に格納される。
【００４６】
●印象一致外郭写像手法（概要）
ここで、本実施形態において入力色域外郭データを出力色域外郭上へ写像した際に印象が一致するような色再現性を実現する、印象一致外郭写像手法について、図７〜図１０および図１１，１２を用いて詳細に説明する。すなわち、上述した図４に示すインデックス１または２に格納可能な、印象一致外郭写像手法の一例を示す。
【００４７】
図７に、入力色域内の任意の入力色相における等色相断面７０１、該等色相断面７０１上の最大彩度点７０３、出力色域における入力色相に対応する出力色相における等色相断面７０２、を示す。以下、この等色相断面７０１の外郭を出力等色相断面７０２に写像する手法の一例を、図７〜図１０を順次参照して説明する。
【００４８】
まず図７に示すように、入力色度点の色相における等色相断面７０１上の最大彩度点７０３に対し、その出力色域における入力最大彩度点写像点７０４を決定する。ここで、最大彩度点７０３の写像手法としては任意の手法であってよいが、図７では、出力色域において入力色相に対応する出力色相における等色相断面７０２上の最大彩度点が、入力最大彩度点７０３の写像点７０４として決定されている。
【００４９】
次に図８に示すように、入力外郭上の最大彩度点７０３を基準として、最大彩度点７０３と白色点８０３の中間にハイライト境界色度点８０１を設定する。さらに、最大彩度点７０３と黒色点８０４の中間にシャドウ境界色度点８０２を設定する。なお、ハイライト境界色度点８０１およびシャドウ境界色度点８０２の詳細な設定手法については特に限定されず、任意の手法であってよい。例えば、これら境界点をユーザが所定のＵ／Ｉを用いて設定可能としても良い。
【００５０】
次に図９に示すように、白色点８０３とハイライト境界色度点８０１間の外郭上の色度点８０１，９０１については、出力色域外郭における明度彩度距離最短色度点に写像する。これにより、ハイライト境界色度点８０１に対する写像点はハイライト境界写像点９０３となる。また、黒色点８０４とシャドウ境界色度点８０２間の外郭上の色度点８０２，９０２については、出力色域外郭に対する入力色度点の等明度色度点に写像する。これにより、シャドウ境界色度点８０２に対する写像点はシャドウ境界写像点９０４となる。
【００５１】
また、入力外郭上における、最大彩度点７０３とハイライト境界色度点８０１間の外郭上の色度点の写像については、図１０を用いて説明する。この写像は、入力外郭上の最大彩度点７０３とハイライト境界色度点８０１間の明度範囲に対する、出力色域上の入力最大彩度点写像点７０４とハイライト境界色度点８０１の出力色域上のハイライト境界写像点９０３との明度範囲に基づいて行われる。すなわち、これらの明度範囲に基づく正規化明度により写像明度を決定し、該写像明度と等明度の出力色域外郭上色度点に写像する。
【００５２】
図１０を用いて、入力外郭上における最大彩度点７０３とハイライト境界色度点８０１間の外郭上の色度点１００１の写像について説明する。同図において、入力外郭上の最大彩度点７０３における明度をＬmi（１００６）、ハイライト境界色度点８０１における明度をＬi（１００５）、色度点１００１の明度をＬとする。さらに、出力色域上の入力最大彩度点写像点７０４における明度をＬ0（１００８）、ハイライト境界写像点９０３おける明度をＬ1（１００７）とする。すると、以下の式（１）によって色度点１００１の写像明度Ｌoutが決定する。
【００５３】
Ｌout＝（Ｌ−Ｌmi）/（Ｌi−Ｌmi）×（Ｌ1−Ｌ0）＋Ｌ0    ・・・（1）
よって、色度点１００１に対しては、その出力色域外郭上の写像明度Ｌoutと等明度の色度点である写像色度点１００３が、写像点として決定される。
【００５４】
次に、入力外郭上における最大彩度点７０３とシャドウ境界色度点８０２間の外郭上の色度点の写像について説明する。この写像は、入力外郭上の最大彩度点７０３とシャドウ境界色度点８０２間の明度範囲に対する、出力色域上の入力最大彩度点写像点７０４とシャドウ境界色度点８０２の出力色域上のシャドウ境界写像点９０４との明度範囲に基づいて行われる。すなわち、これらの明度範囲に基づく正規化明度により写像明度を決定し、該写像明度と等明度の出力色域外郭上色度点に写像する。
【００５５】
図１０を用いて、入力外郭上における最大彩度点７０３とシャドウ境界色度点８０２間の外郭上の色度点１００２の写像について説明する。同図において、入力外郭上の最大彩度点７０３における明度をＬmi（１００６）、シャドウ境界色度点８０２における明度をＬi（１００９）、色度点１００１の明度をＬとする。さらに、出力色域上の入力最大彩度点写像点７０４における明度をＬ0（１００８）、シャドウ境界写像点９０４における明度をＬ1（１００９）において、以下の式（２）によって写像明度Ｌoutが決定する。
【００５６】
Ｌout＝（Ｌ−Ｌi）/（Ｌmi−Ｌi）×（Ｌ0−Ｌ1）＋Ｌ1    ・・・（2）
【００５７】
よって、色度点１００２に対しては、その出力色域外郭上の写像明度Ｌoutと等明度の色度点である写像色度点１００４が、写像点として決定される。
【００５８】
なお、上述した図８〜図１０を用いて説明した印象一致外郭写像処理は、入力色域明度範囲と出力色域明度範囲が等しい場合の外郭写像手法である。
【００５９】
そこで、入力色域明度範囲と出力色域明度範囲が異なる場合の外郭写像手法について、さらに説明する。
【００６０】
図１１は、入力色域明度範囲と出力色域明度範囲が異なる場合の写像処理における明度変換カーブを示すグラフである。同図において、明度変換カーブ１１０６はＳ字カーブとなり、入力明度における低明度または高明度の部分が、出力色域の明度範囲内に強く圧縮されるように写像明度が決定される。図１１においては、入力色域における白色点明度１１０１、入力色域における黒色点明度１１０４、出力色域における白色点明度１１０２、出力色域における黒色点明度１１０３が示されている。入力色域における等明度直線１１０５の入力に対して、明度変換カーブ１１０６のように出力変換される。
【００６１】
以下、本実施形態における入力色域明度と出力色域明度が異なる場合の外郭写像手法として、図１１の明度変換カーブを用いた外郭写像手法について図１２を用いて説明する。
【００６２】
図１２において、まず図８と同様に、入力外郭上の最大彩度点７０３を基準として、最大彩度点７０３と白色点８０３の中間にハイライト境界色度点８０１、最大彩度点７０３と黒色点８０４の中間にシャドウ境界色度点８０２をそれぞれ設定する。また、入力色域明度と出力色域明度が異なる出力色域１２０１において、白色点１２０２、黒色点１２０３がある。入力外郭上において白色点８０３とハイライト境界色度点８０１間の外郭上の色度点８０１，９０１の写像については、まず図１１の明度変換カーブ１１０６による明度変換座標値を算出し、これを仮入力色度点として設定する。よって、ハイライト境界色度点８０１に対するハイライト境界仮色度点１２０４と、色度点９０１の仮色度点１２０６が得られる。このように、入力外郭上において白色点８０３とハイライト境界色度点８０１間の明度変換カーブ１１０６による仮入力色度点は、点線１２０５上に変換されることになる。同様に、シャドウ境界色度点８０２に対するシャドウ境界仮色度点１２０７と、色度点９０２の仮色度点１２０９が得られ、入力外郭上において黒色点８０４とシャドウ境界色度点８０２間の仮入力色度点は、点線１２０８上に変換されることになる。
【００６３】
次に仮色度点について、図９で説明した写像手法と同様に、入力外郭上において白色点８０３とハイライト境界色度点８０１間の外郭上の色度点については、出力色域外郭に対して明度彩度距離最短色度点（色度点１２１２，１２１３）に写像する。同様に、黒色点８０４とシャドウ境界色度点８０２間の外郭上の色度点については、出力色域外郭における入力色度点の等明度色度点（色度点１２１０，１２１１）に写像する。
【００６４】
そして最後に、入力外郭上における最大彩度点７０３とハイライト境界色度点８０１間の外郭上の色度点の写像、ならびに最大彩度点７０３とシャドウ境界色度点８０２間の外郭上の色度点の写像については、図１０で説明した写像手法を適用する。
【００６５】
本実施形態では以上説明したような外郭写像手法を入力色域と出力色域における明度範囲の違いに応じて選択可能とすることによって、ハイライト領域ならびにシャドウ領域の写像方法について最適な手法を選択することができる。これにより、任意の入力色域の外郭を、任意の出力色域の外郭上に対して、入力色の色再現についての印象が一致するように再現することが可能となる。
【００６６】
●印象一致外郭写像手法（詳細）
ここで図５に、本実施形態における印象一致外郭写像手法を実現する、外郭写像点設定部２０９内における構成を示し、詳細に説明する。
【００６７】
図５において、入力色域データ格納部５０１には、入力色域記憶部２０５に格納された入力色空間情報から求められた、ＪＣｈ色空間における入力色域データが格納される。また出力色域データ格納部５０２には、プリンタ色域記憶部２０６に格納されたプリンタ色再現域情報から求められた、ＪＣｈ色空間における出力色域データが格納される。ここで、出力色域はプリンタに限らず、画像を出力再現する任意デバイスの色域であってよい。入力色度点格納部５０３には、色域写像部２１１より渡された入力色域における任意色相上の入力色の色度点座標が格納される。入力外郭色度点設定部５０４には、入力色度点格納部５０３に格納された入力色度点に基づく、入力色域上の対応外郭色度点の色度点座標が設定される。写像色相設定部５０５は、入力色度点格納部５０３に格納された入力色域における任意色相上の色度点座標を、出力色域に写像する色相を設定する。
【００６８】
色相断面設定部５０６は、入力色域データ格納部５０１に格納された入力色域データから、入力色度点格納部５０３に格納された入力色度点の色相における等色相色相断面を獲得し、入力色域外郭データを抽出する。また、出力色域データ格納部５０２に格納された出力色域データから、写像色相設定部５０５で設定された写像色相における色相断面を獲得し、出力色域外郭データを抽出する。入力最大彩度写像点設定部５０７は、色相断面設定部５０６で獲得された入力色域外郭データにおける最大彩度点を獲得し、同様に獲得された出力色域外郭データ上への写像点を獲得し、設定する。
【００６９】
入力外郭領域境界設定部５０８は、入力色域外郭データ上において、ハイライト境界色度点およびシャドウ境界色度点を設定し、以下の各領域を設定する。すなわち、白色点とハイライト境界色度点間領域、ハイライト境界色度点と入力色域最大彩度色度点間領域、黒色点とシャドウ境界色度点間領域、シャドウ境界色度点と入力色域最大彩度色度点間領域、である。
【００７０】
入力外郭色度点判定部５０９は、入力外郭色度点設定部５０４で設定された入力色度点に基づく入力色域外郭データ上の色度点が、入力外郭領域境界設定部５０８で設定されたいずれかの領域内の色度点であるかを判定する。入力外郭領域境界写像色度点設定部５１０は、入力外郭色度点判定部５０９での判定結果に基づいて、ハイライト境界色度点もしくはシャドウ境界色度点に対し、予め定義されている写像手法による出力色域外郭上への写像点を、境界写像点として設定する。
【００７１】
さらに、入力外郭色度点判定部５０９における判定結果に基づき、入力外郭高彩度領域写像色度点設定部５１１と入力外郭低彩度領域写像色度点設定部５１２のいずれかが選択され、本実施形態における写像点の決定および設定を行う。入力外郭高彩度領域写像色度点設定部５１１は、入力色域においてハイライト境界色度点と入力色域最大彩度色度点間領域、もしくはシャドウ境界色度点と入力色域最大彩度色度点間領域における写像処理を実施する。また入力外郭低彩度領域写像色度点設定部５１２は、入力色域において白色点とハイライト境界色度点間領域、もしくは黒色点とシャドウ境界色度点間領域における写像処理を実施する。
【００７２】
ここで、入力外郭低彩度領域写像色度点設定部５１２において、入力色域明度範囲と出力色域明度範囲が異なる場合には以下のような制御が行われる。まず明度変換値設定部５１４において、明度パラメータ変換部５１５に格納された明度階調変換データを参照して、以下のような明度変換処理を行なうことによって仮入力外郭色度点座標が設定される。すなわち、入力外郭色度点設定部５０４で設定され入力色度点格納部５０３に格納された入力色度点に基づく入力色域上の対応外郭色度点の色度点座標に対して、明度変換処理を実施する。
【００７３】
入力外郭高彩度領域写像色度点設定部５１１もしくは入力外郭低彩度領域写像色度点設定部５１２で設定され、入力色度点格納部５０３に格納された入力色度点に対する出力外郭写像点が、出力外郭写像点格納部５１３に格納される。
【００７４】
次に、本実施形態において入力色域外郭データを出力色域外郭上へ写像した際に、印象が一致するような色再現性を実現する、印象一致外郭写像手法による写像処理について、図６のフローチャートを用いて説明する。
【００７５】
まずステップＳ６０１において、入力色域データおよび出力色域データを獲得する。次にステップＳ６０２において、入力色域データにおける任意色相上の外郭座標点が入力点データとして入力され、入力色度座標値（Ｊ1，Ｃａ1，Ｃｂ1）が獲得される。そしてステップＳ６０３において、入力色度座標値（Ｊ1，Ｃａ1，Ｃｂ1）における入力色相ｈ0が獲得され、ステップＳ６０４において、入力色相ｈ0における入力色域外郭データが入力色域外郭データより抽出される。
【００７６】
次にステップＳ６０５において、入力色度座標値（Ｊ1，Ｃa1，Ｃb1）における入力色相ｈ0に対応する出力色域データへの写像色相ｈが設定され、ステップＳ６０６において、出力色相ｈにおける出力色域外郭データが出力色域外郭データより抽出される。
【００７７】
そしてステップＳ６０７において、ステップＳ６０４で獲得された入力外郭データ上の最大彩度色度点の色度座標が獲得される。するとステップＳ６０８において、ステップＳ６０７で獲得された入力外郭データ上の最大彩度色度点について、任意の入力最大彩度点写像手法によって、ステップＳ６０６で獲得された出力外郭データ上の写像色度点が設定される。
【００７８】
そしてステップＳ６０９において、ステップＳ６０２で獲得された入力色度座標明度Ｊ1について、ステップＳ６０７で獲得された入力外郭データ上の最大彩度色度点明度との大小関係を判定する。入力色度座標明度Ｊ1が入力外郭データ上の最大彩度色度点明度よりも大きければ、入力色域における白色点と入力外郭データ上の最大彩度色度点間の色度点であると判断され、ステップＳ６１０に進む。ステップＳ６１０では、入力色域における白色点と入力外郭データ上の最大彩度色度点間においてハイライト境界色度点が設定される。一方、入力色度座標明度Ｊ1が入力外郭データ上の最大彩度色度点明度よりも小さければ、入力色域における黒色点と入力外郭データ上の最大彩度色度点間の色度点であると判断され、ステップＳ６１１に進む。ステップＳ６１１では、入力色域における黒色点と入力外郭データ上の最大彩度色度点間においてシャドウ境界色度点が設定される。
【００７９】
次にステップＳ６１２において、入力色度座標が、入力色域外郭データ上の白色点とハイライト境界色点間の色度点、または黒色点とシャドウ境界色度点間の色度点であるかが判定される。ここで、該判定がＮＯである場合にはすなわち、入力外郭データ上の最大彩度色度点とハイライト境界色点間の色度点、または入力外郭データ上の最大彩度色度点とシャドウ境界色点間の色度点であるため、ステップＳ６１４で高彩度領域写像手法が選択される。
【００８０】
一方、ステップＳ６１２における判定がＹＥＳである場合、すなわち、入力色度座標が、入力色域外郭データ上の白色点とハイライト境界色点間の色度点、または黒色点とシャドウ境界色度点間の色度点のいずれかである場合には、ステップＳ６１３に進む。ステップＳ６１３では、入力色度座標が、入力色域外郭データ上の白色点とハイライト境界色点間の色度点であるかを判定し、該判定がＹＥＳであれば、ステップＳ６１５で入力色域外郭データ上の白色点とハイライト境界色点間に対する写像手法が選択される。一方、ステップＳ６１３における判定がＮＯであればすなわち、入力色度座標は黒色点とシャドウ境界色度点間の色度点であるため、ステップＳ６１６で入力色域外郭データ上の黒色点とシャドウ境界色点間に対する写像手法が選択される。
【００８１】
そしてステップＳ６１７において、ステップＳ６１５，Ｓ６１６、もしくはステップＳ６１４で選択された写像手法によって、入力色度座標の出力色域外郭データ上への写像処理が実施される。そして最後にステップＳ６１８において、ステップＳ６１７で獲得された出力写像点座標値（Ｊ2，Ｃa2，Ｃb2）が、出力外郭写像点格納部５１３に格納される。
【００８２】
●色域内写像手法（概要）
以上、本実施形態における外郭写像手法およびその選択について説明した。本実施形態では、以上のように選択された外郭写像手法によって写像された外郭写像データに基づいて、入力色域内色度点を出力色域内色度点に写像するための色域内写像手法を設定する。これにより、本実施形態における色域内写像手法は、外郭写像手法の特徴によらず、様々な外郭写像手法に対して共通に用いることができる。さらに、入力色域における高彩度領域の階調再現を向上し、かつ、図１１に示した明度階調変換データの再現に対応可能であることを特徴とする。
【００８３】
以下、本実施形態において入力色域内色度点を出力色域内色度点に写像するための、色域内写像手法について図１５を用いて説明する。
【００８４】
図１５に、入力色域内の任意の入力色相における等色相断面７０１と、入力色域の明度範囲と異なる明度範囲を有し、入力色相に対応する出力色相における等色相断面である出力色域１２０１を示す。同図に示すように、まず出力色域内における任意の色域範囲を内部色域１５０６として設定する。また、入力色域内の入力色度点座標１５０１に対して、等明度の入力色域外郭上の色度座標点を入力外郭色度点座標１５０３として設定する。ここで、入力色度点座標１５０１の等明度線１５０２を仮定する。
【００８５】
図１５においては、入力色域の明度範囲と出力色域の明度範囲が異なるため、入力色域内の色度点を出力色域内に写像するために、図１１に示すような明度変換カーブ１１０６に基づく明度圧縮変換を行う。よって、明度変換カーブ１１０６に基づく明度圧縮変換によって、入力色度点座標１５０１の等明度線１５０２上の座標点は、明度変換等明度線１５０５以下に明度変換されることになる。
【００８６】
一方、本実施形態においては、色域写像処理における外郭写像として、独立した外郭写像手法を用いる。よって、入力外郭色度点座標１５０３は、本実施形態で任意選択された外郭写像手法によって、明度変換カーブ１１０６による明度変換結果の等明度線１５０５上の色度点ではなく、出力色域外郭上の入力最大彩度色度写像点座標１５０４に写像される。したがって本実施形態では、明度変換カーブ１１０６に基づく入力色域上の低彩度領域の色再現と、独立した外郭写像手法による入力色域外郭上の写像結果とを両立させるために、出力色域に対して内部色域１５０６を設定する。なお、内部色域１５０６の設定方法は任意である。そして、設定された内部色域１５０６と明度変換等明度線１５０５との交点を内部色域境界点１５０７として設定すると共に、等明度線１５０２上において、内部色域境界点１５０７と等彩度の色度点を入力彩度境界点１５０８として設定する。
【００８７】
そして、等明度線１５０２上の入力色度点座標１５０１について、入力彩度境界点１５０８と比較する。入力色度点座標１５０１が入力彩度境界点１５０８よりも高彩度側であれば、出力色域内における内部色域境界点１５０７と出力色域外郭上の入力最大彩度色度写像点座標１５０４を結ぶ任意線分１５１０上の色度点１５１１に、彩度圧縮処理を伴って写像する。ここで任意線分１５１０は、明度変換等明度線１５０５に対して内部色域境界点１５０７を交点にもち、明度変換等明度線１５０５から滑らかに変化する線分である。
【００８８】
一方、入力色度点座標１５０１が入力彩度境界点１５０８よりも低彩度側であれば、出力色域内の明度変換等明度線１５０５上の無彩色軸上点と内部色域境界点１５０７間の線分上に、写像点を決定する。
【００８９】
以上のような色域内写像手法によって、入力色域内の等明度線１５０２上の色度点は、図１５に示す線分１５１０に写像される。この線分１５１０は、出力色域内における明度変換等明度線１５０５上の無彩色軸上点と内部色域境界点１５０７間における線分と、出力色域外郭上の入力最大彩度色度写像点座標１５０４を滑らかに結ぶ任意線分である。
【００９０】
ここで図１８に、上述した色域内写像処理における彩度圧縮処理用の彩度変換パラメータである、彩度圧縮曲線の一例を示す。図１８において、横軸が入力彩度、縦軸が出力彩度を示している。等彩度直線１８０４は入力彩度と等彩度の彩度出力である。
【００９１】
図１５に示した色域内写像処理において、入力彩度境界点１５０８は、図１８におけるＣp１８０６に対応する。また、入力外郭色度点座標１５０３における彩度は入力彩度１８０１，１８０３に、出力色域外郭上の入力最大彩度色度写像点座標１５０４は出力彩度１８０２に、それぞれ対応する。
【００９２】
よって、図１８において彩度圧縮曲線１８０５に従う上記写像処理がなされた場合には、以下のような写像結果が得られる。すなわち、入力色域における等明度線１５０２上の無彩色軸上色度点（彩度＝０）からＣp１８０６（入力彩度境界点１５０８）間は、明度変換等明度線１５０５上における入力色度点と等彩度の色度点に写像される。そして入力色域における等明度線１５０２上のＣp１８０６（入力彩度境界点１５０８）から入力外郭色度点座標１５０３間の色度点については、入力色度点彩度が高彩度になるほど高率に彩度圧縮されて、出力彩度１８０２以内に写像される。
【００９３】
また、図１８において、彩度圧縮曲線１８０７に従う上記写像処理がなされた場合にも、本実施形態は対応可能である。彩度圧縮曲線１８０７は、入力色域の低彩度色度点の写像においても彩度拡張を行い、色鮮やかな色再現性を実現しようとするものである。よって、Ｃp１８０６における写像出力彩度は、入力色度点のそれよりも高彩度の再現になっている。従って、入力彩度境界点１５０８は、図１８におけるＣp１８０６と等彩度の彩度圧縮曲線１８０７上の点１８０８における入力彩度Ｃpi１８０９になる。
【００９４】
よって、入力色域における等明度線１５０２上の入力色度点は、同様に、図１５に示す線分１５１０上に写像される。この線分１５１０は、出力色域内における明度変換等明度線１５０５上の無彩色軸上点と内部色域境界点１５０７間における線分と、出力色域外郭上の入力最大彩度色度写像点座標１５０４を滑らかに結ぶ任意線分である。このとき、その出力色度点については、入力色域における等明度線１５０２上の無彩色軸上色度点（彩度＝０）からＣpi１８０９間は、明度変換等明度線１５０５上の入力色度点について、彩度圧縮曲線１８０７によって変換される彩度の色度点に写像する。さらに、入力色域における等明度線１５０２上のＣpi１８０９（入力彩度境界点１５０８）から入力外郭色度点座標１５０３間の色度点についても、彩度圧縮曲線１８０７によって変換される彩度の色度点に写像する。これにより、全ての色度点が出力彩度１８０２以内に写像される。
【００９５】
●色域内写像手法（詳細）
ここで図１６に、本実施形態における色域内写像手法を実現する、色域写像部２１１内における構成を示し、詳細に説明する。
【００９６】
図１６において、入力色域データ格納部１６０１には、入力色域記憶部２０５に格納された入力色空間情報から求められた、ＪＣｈ色空間における入力色域データが格納される。また出力色域データ格納部１６０２には、プリンタ色域記憶部２０６に格納されたプリンタ色再現域情報から求められた、ＪＣｈ色空間における出力色域データが格納される。。ここで、出力色域はプリンタに限らず、画像を出力再現する任意デバイスの色域であってよい。入力色度点格納部１６０３には、色域写像部２１１より渡された入力色域における任意色相上の最大彩度色度点座標が格納される。入力外郭色度点設定部１６０４には、入力色度点格納部１６０３に格納された入力色度点に基づく、入力色域上の対応外郭色度点の色度点座標が設定される。写像色相設定部１６０５は、入力色度点格納部１６０３に格納された入力色域における任意色相上の色度点座標を、出力色域に写像する色相を設定する。
【００９７】
色相断面設定部１６０６は、入力色域データ格納部１６０１に格納された入力色域データから、入力色度点格納部１６０３に格納された入力色度点の色相における等色相色相断面を獲得し、入力色域外郭データを抽出する。また、出力色域データ格納部１６０２に格納された出力色域データから、写像色相設定部１６０５で設定された写像色相における色相断面を獲得し、出力色域外郭データを抽出する。入力外郭色度点写像設定部１６０７は、色相断面設定部１６０６で獲得された入力色域外郭データにおける入力色度点に基づく入力色域上の対応外郭色度点の色度点座標について、同様に獲得された出力色域外郭データ上への写像点を獲得し設定する。明度写像パラメータ設定部１６０８は、予め格納されている入力色域の明度範囲を出力色域の明度範囲に写像する明度変換データに基づいて、入力色度点格納部１６０３に格納された入力色度点の明度変換値を設定する。
【００９８】
出力色域内部領域設定部１６０９は、色相断面設定部１６０６で獲得された出力色域断面データに対して内部領域を設定する。ここで本実施形態における内部領域とは、出力色域外郭データにおける任意明度に対する彩度について、一定の比率を用いて算出した彩度を有する領域であるとする。なお、内部領域の設定手法は任意であり、他の手法によって設定されても構わない。
【００９９】
出力色域内部領域境界設定部１６１０は、色相断面設定部１６０６で獲得された出力色域断面データにおける、明度写像パラメータ設定部１６０８で設定された入力色度点の明度変換値に対応する出力内部領域境界色度点座標が設定される。
【０１００】
入力色域内部領域境界設定部１６１１は、色相断面設定部１６０６で獲得された入力色域断面データにおける入力色度点の等明度線上に、入力内部領域境界色度点座標を設定する。この設定は、出力色域内部領域境界設定部１６１０で設定された出力内部領域境界色度点座標に基づいて行われるが、このとき、彩度圧縮パラメータ設定部１６１５に格納されている彩度圧縮曲線データが参照される。
【０１０１】
入力色度点座標判定部１６１２は、入力色度点彩度と入力色域内部領域境界設定部１６１１で設定された入力内部領域境界色度点彩度の比較を行い、入力色度点彩度が入力内部領域境界色度点彩度よりも高い色度点であるか否かを判定する。ここで、入力色度点彩度が入力内部領域境界色度点彩度よりも低いと判断された場合には、内部領域内写像処理部１６１３において内部領域内への写像点が設定される。内部領域内写像処理部１６１３においては、彩度圧縮パラメータ設定部１６１５に格納されている彩度圧縮曲線データを参照して、所定の写像線分上に入力色度点の写像点が設定される。この写像線分は、明度写像パラメータ設定部１６０８で設定された入力色度点の明度変換値と、出力色域内部領域境界設定部１６１０で設定された出力内部領域境界色度点座標に基づいて決定される。
【０１０２】
一方、入力色度点彩度が入力内部領域境界色度点彩度よりも高いと判断された場合には、内部領域外写像処理部１６１４において内部領域外への写像点が算出される。内部領域外写像処理部１６１４においては、彩度圧縮パラメータ設定部１６１５に格納されている彩度圧縮曲線データを参照して、所定の写像線分上に入力色度点の写像点が設定される。この写像線分は、出力色域内部領域境界設定部１６１０で設定された出力内部領域境界色度点座標と、入力外郭色度点写像設定部１６０７で設定された入力色域上の対応外郭色度点の色度点座標における出力色域外郭データ上への写像点に基づいて決定される。
【０１０３】
内部領域内写像処理部１６１３もしくは内部領域外写像処理部１６１４によって獲得された、入力色度点格納部１６０３に格納された入力色度点における出力写像点が、出力写像点格納部１６１６に格納される。
【０１０４】
次に、本実施形態の色域写像部２１１において、入力色域内色度点を出力色域内色度点に写像する、色域内写像手法による写像処理について、図１７のフローチャートを用いて説明する。
【０１０５】
まずステップＳ１７０１において、入力色域データおよび出力色域データを獲得する。次にステップＳ１７０２において、入力色域データにおける任意色相上の外郭座標点が入力点データとして入力され、入力色度座標値（Ｊ1，Ｃａ1，Ｃｂ1）が獲得される。そしてステップＳ１７０３において、入力色度座標値（Ｊ1，Ｃａ1，Ｃｂ1）における入力色相ｈ0が獲得され、ステップＳ１７０４において、入力色相ｈ0に対応する出力色域データへの写像色相ｈが設定される。
【０１０６】
そしてステップＳ１７０５において、入力色度座標値（Ｊ1，Ｃa1，Ｃb1）と等色相（ｈ0）で、明度Ｊ1における入力色域外郭色度点が獲得される。そしてステップＳ１７０６において、ステップＳ１７０５で獲得された入力色域外郭色度点について、本実施形態で選択された任意の外郭写像手法によって、出力外郭データ上の写像色度点が設定される。そしてステップＳ１７０７において、入力色度座標値（Ｊ1，Ｃa1，Ｃb1）における明度Ｊ1について、予め格納されている入力色域の明度範囲を出力色域の明度範囲に写像する明度変換データに基づいて、入力色度座標明度Ｊ1の明度変換値が獲得される。
【０１０７】
するとステップＳ１７０８において、出力色域内においてステップＳ１７０４で獲得された出力色相ｈの出力色域断面データに対して、内部領域を設定する。そしてステップＳ１７０９で、ステップＳ１７０８で獲得された出力色域断面データの内部領域に対して、ステップＳ１７０７で獲得された入力色度座標明度Ｊ1の明度変換値に基づき、入力色度点の明度変換値に対する出力内部領域境界色度点座標が獲得される。さらに、該獲得した出力内部領域境界色度点座標に基づいて、入力色域に対する入力内部領域境界色度点座標が獲得される。
【０１０８】
次にステップＳ１７１０において、ステップＳ１７０９で獲得された入力内部領域境界色度点座標の彩度に対して、入力色度座標値（Ｊ1，Ｃa1，Ｃb1）における彩度の大小比較を行う。ここで、入力内部領域境界色度点座標の彩度に対して入力色度点彩度が低い場合はステップＳ１７１１に進み、逆の場合はステップＳ１７１２に進む。ステップＳ１７１１では、上述した内部領域内写像処理部１６１３において彩度圧縮曲線データを参照して、入力色度点の出力色域内における出力写像点座標値（Ｊ2，Ｃa2，Ｃb2）を、図１５を用いて説明したような写像線分上に設定する。またステップＳ１７１２では、上述した内部領域外写像処理部１６１４において彩度圧縮曲線データを参照して、入力色度点の出力色域内における出力写像点座標値（Ｊ2，Ｃa2，Ｃb2）を、図１５を用いて説明したような写像線分上に設定する。
【０１０９】
そしてステップＳ１７１３において、ステップＳ１７１１またはステップＳ１７１２で獲得された出力写像点座標値（Ｊ2，Ｃa2，Ｃb2）が、出力写像点格納部１６１６に格納される。そしてステップＳ１７１４において、入力色域データ内のすべての入力色度点について、ステップＳ１７０２〜ステップＳ１７１３による写像処理が終了したか否かを判定し、終了していない場合はステップＳ１７０２に戻り以降のステップを繰り返す。一方、すべての入力色度点について上記写像処理が終了した場合には、本処理を終了する。
【０１１０】
以上説明したように本実施形態における色域内写像手法は、本実施形態で選択された外郭写像手法によって写像された外郭写像データに基づいて設定されるため、外郭写像手法の特徴によらず、様々な外郭写像手法に対して共通に用いることが可能である。さらに、入力色域における高彩度領域の階調再現を向上し、かつ、図１１に示した明度階調変換データに応じた写像結果を実現することができる。
【０１１１】
以上説明したように本実施形態によれば、入力色域データから出力色域データへの写像変換を行うに際し、特に入力色域外郭データを出力色域外郭上へ写像する際に印象が一致する色再現性を実現するような外郭写像手法を選択可能とする。
【０１１２】
また、色域内写像については、外郭写像手法の変更に対して共通の内部写像手法による処理が行われるため、外郭写像手法の特徴によらず常に同様の写像結果を実現することができる。さらに色域内写像結果と外郭写像結果との間における階調性についても、高品質な画像再現を実現する。
【０１１３】
また明度階調再現において、別途設定される階調変換カーブに応じた写像結果を実現し、明度範囲の異なる入力色域と出力色域に対して最適な明度変換写像結果を実現する。
【０１１４】
＜第２実施形態＞
以下、本発明に係る第２実施形態について説明する。第２実施形態における画像処理装置の構成は図１と同様であるため、説明を省略する。
【０１１５】
上述した第１実施形態に示した、印象一致外郭写像手法によれば、入力色域明度と出力色域明度が異なる場合の写像処理における明度変換カーブは、図１１に示すようにＳ時カーブ（明度変換カーブ１１０６）となる。したがって、入力明度における低明度または高明度の部分が、出力色域の明度範囲内に強く圧縮されるように写像明度が決定される。
【０１１６】
しかしながら、明度変換カーブのＳ字形状による暗部の明度再現について、高明度圧縮であった場合には、暗部の領域における階調再現が低下してしまう場合がある。そこで第２実施形態においては、明度圧縮カーブによる暗部の明度再現について、色再現性がより向上するような外郭写像手法を実現する。
【０１１７】
●印象一致外郭写像手法（シャドウ部再現）
以下、第２実施形態における、特に暗部（シャドウ部）についての再現性を向上させるような印象一致外郭写像手法について、詳細に説明する。
【０１１８】
第２実施形態における印象一致外郭写像手法は、上述した第１実施形態と同様に、まず図７，図８に示した入力外郭データにおける最大彩度色度点の写像処理と、入力外郭データ上における領域の分割処理を行う。なお、この領域分割はシャドウ部に対してのみ行えば良く、これにより、入力外郭上の最大彩度点７０３と黒色点８０４の中間に、シャドウ境界色度点８０２が設定される。なお、以下の説明において、上述した第１実施形態で示した図７〜図１２に示した符号をそのまま用いる。
【０１１９】
そして第２実施形態では、図１３に示すような処理によって、シャドウ部における出力写像点を決定する。まず、図１３に示すように、入力色域明度と出力色域明度が異なる出力色域１２０１内に、黒色点１２０３を有する。そして入力外郭上において、黒色点８０４とシャドウ境界色度点８０２間については、図１１に示す明度変換カーブ１１０６による明度変換座標値を算出し、これを仮入力色度点に設定する。よって、シャドウ境界色度点８０２に対するシャドウ境界仮色度点１２０７と、色度点９０２の仮色度点１２０９が得られる。これにより、入力外郭上において、黒色点８０４とシャドウ境界色度点８０２間の明度変換カーブ１１０６による仮入力色度点は、点線１２０８上に変換されることになる。
【０１２０】
そして、シャドウ境界色度点８０２の写像については、シャドウ境界仮色度点１２０７に変換後、出力色域外郭における等明度色度点１２１０に写像する。また、黒色点８０４とシャドウ境界色度点８０２間にある入力外郭色度点９０２については、点線１２０８上の仮入力色度点１２０９に変換後、出力色域外郭における等明度色度点１２１１に写像する。ここで第２実施形態においては、この色度点１２１１を第１写像点として獲得し、同時に、出力色域外郭における仮入力色度点１２０９の明度彩度距離最短色度点１３０１を、第２写像点として獲得する。
【０１２１】
入力外郭色度点９０２の出力写像点については、シャドウ境界色度点８０２の明度と黒色点８０４の明度によって定義される明度範囲において、入力外郭色度点９０２の明度に基づく重み付けが設定される。すなわち、入力外郭色度点９０２の出力写像点は、第１写像点１２１１と第２写像点１３０１の色度座標値が該重み付けに基づいて合成されることによって得られる座標値に決定される。なお、ここで設定される重み付けは、入力外郭色度点９０２の明度が黒色点８０４に近いほど、第２写像点１３０１の重みが大きくなることを特徴とする。
【０１２２】
図１４に、第２実施形態による黒色点８０４とシャドウ境界色度点８０２間の入力色度点の明度写像結果を示し、第２実施形態による効果について説明する。
【０１２３】
図１４において、明度写像結果１４０１は、黒色点８０４とシャドウ境界色度点８０２間の入力色度点を仮入力色度点に変換後、出力色域外郭における仮入力色度点の等明度色度点への写像結果を示す。すなわち、明度写像結果１４０１は、第２実施形態における第１写像点に対応し、これは上述した第１実施形態における写像結果にも相当する。明度写像結果１４０１によれば、明度が黒色点付近である低彩度の入力色度点について、明度変換カーブ１１０６による明度変換座標の影響によって、明度再現の階調性が低下していることが分かる。対して、明度写像結果１４０２は、第２実施形態における第２写像点に対応し、明度が黒色点付近である低彩度の入力色度点についても、明度再現の階調性が向上していることが分かる。
【０１２４】
明度写像結果１４０３は、第２実施形態における重み付けを用いた写像結果である。明度写像結果１４０３によれば、明度が黒色点付近である低彩度の入力色度点については、明度再現の階調性が向上する。さらに、入力色度点がシャドウ境界色度点８０２付近の色度点については、上述した第１実施形態と同様に、入力色域における色再現性との印象一致が実現される。
【０１２５】
なお、第２実施形態において、入力外郭上における最大彩度点７０３とハイライト境界色度点８０１間の外郭上の色度点の写像については、第１実施形態において図１０を用いて説明した写像手法を適用する。また、入力外郭上における最大彩度点７０３とシャドウ境界色度点８０２間の外郭上の色度点の写像についても、同様に図１０を用いて説明した写像手法を適用する。
【０１２６】
以上説明したように第２実施形態における外郭写像方法によれば、入力色域と出力色域における明度範囲の違いによって、特にシャドウ領域の写像方法について最適な手法を提供することができる。これにより、任意の入力色域の外郭についての任意の出力色域の外郭上への写像において、入力色の色再現との印象一致と、階調再現性の向上と、の両方を実現することができる。
【０１２７】
なお、第２実施形態はもちろん、ハイライト領域、最大彩度点とハイライト境界色度点もしくはシャドウ境界色度点間の写像において適用できることは言うまでもない。
【０１２８】
＜第３実施形態＞
以下、本発明に係る第３実施形態について説明する。第３実施形態における画像処理装置の構成は図１と同様であるため、説明を省略する。
【０１２９】
第３実施形態では画像処理部１０５において、ユーザが外郭写像手法を選択し、該選択した写像手法による写像結果を反映した色補正プロファイルを作成するためのＵ／Ｉを有することを特徴とする。
【０１３０】
以下、第３実施形態において用いられる各Ｕ／Ｉについて、詳細に説明する。
【０１３１】
●外郭写像手法初期設定Ｕ／Ｉ
図１９は、画像処理部１０５における色補正プロファイルの作成にあたり、第３実施形態において外郭写像手法の選択をユーザが指定するＵ／Ｉ例を示す図である。なお、図１９に示すＵ／Ｉは、不図示のメインメニューにおいて外郭写像手法選択を示すボタンがユーザによって選択されることにより表示される。
【０１３２】
図１９に１９０１で示すＵ／Ｉは、複数用意された外郭写像手法のうち、実際に写像処理に適用される手法を決定する外郭写像手法初期設定Ｕ／Ｉである。ユーザは該Ｕ／Ｉ１９０１において、入力色域データ設定部１９０２に入力色空間データを格納したファイルを指定し、出力色域データ設定部１９０３に出力色空間データを格納したファイルを指定する。なお、これらのファイル名の指定は、各参照ボタン１９０６，１９０７を用いて、画像処理部１０５に入力可能な各ファイルの格納場所を参照しながら行うことができる。  外郭写像手法設定部１９０４では、ユーザがダウンリストボタン１９０８を操作することによって、設定可能な外郭写像手法リストが表示され、ユーザはマウス等を用いて該手法リストから所望する外郭写像処理を選択し、設定する。ここで設定された外郭写像処理名称が、外郭写像手法設定部１９０４に表示される。外郭写像手法設定部１９０４において設定可能な外郭写像処理としては、上述した図４に示すような形式で、外郭写像手法格納部２０７に格納されることによって予め登録されている。
【０１３３】
色補正プロファイル出力設定部１９０５では、ユーザが参照ボタン１９０９を用いて色補正プロファイルの格納場所を参照し、出力する色補正プロファイルを設定する。
【０１３４】
上記各設定部に対する設定が終了すると、ユーザが色補正プロファイル作成ボタン１９１０を押下することによって、第３実施形態における外郭写像処理を含む色域写像処理が開始され、色補正プロファイルが作成される。
【０１３５】
●外郭写像手法詳細設定Ｕ／Ｉ
図２０は、上述した図１９に示す外郭写像手法初期設定Ｕ／Ｉによって選択された外郭写像処理を用いた色域写像結果を確認するためのＵ／Ｉ例を示す図である。なお、図２０に示すＵ／Ｉは、不図示のメインメニューにおいて外郭写像確認を示すボタンがユーザによって選択されることにより表示される。
【０１３６】
図２０に２００１で示す外郭写像手法詳細設定Ｕ／Ｉは、座標データによる確認を行うための表示部と、さらに色相毎の詳細な外郭写像処理設定を可能とする詳細設定部の２つの構成を有する。
【０１３７】
まず、外郭写像手法詳細設定Ｕ／Ｉ２００１における確認表示について説明する。図１９に示す外郭写像手法初期設定Ｕ／Ｉ１９０１より入力された入力色域データと出力色域データについて、同じく該Ｕ／Ｉ１９０１で選択された外郭写像手法を標準の外郭写像手法として用いた写像処理を行い、該処理結果を初期値として表示する。なお、ここで実行される写像処理はすなわち、上述した第１または第２実施形態で示す写像処理である。写像結果の確認表示は、具体的には以下のように行われる。
【０１３８】
まず、明度彩度表示部２００５には、色相設定部２００２で設定された入力色相上の入力色域最大彩度点を含む入力色域外郭データ上の離散的な色度点を入力点とする写像結果を、入力色域と写像色相における出力色域の明度彩度断面上に表示する。そして明度再現表示部２００６には、入力色域外郭データ上の離散的な色度点の入力明度に対する、出力明度再現結果を表示する。そして色度平面表示部２００７には、色度平面への投影結果、すなわち、入力色相と出力色相の関係を表示する。なお、各表示部の詳細については後述する。色相設定部２００２の設定値は、色相設定バー２００３で示される色相について色相ポインタ２００４を移動させることによっても、変更することができる。
【０１３９】
明度彩度表示部２００５における結果表示の詳細について、図２１を用いて説明する。図２１によれば明度彩度表示部２００５には、所定の明度彩度平面上において、入力色域外郭データ２１０２、出力色域外郭データ２１０３がそれぞれ示されている。入力色相表示部２１０１は、色相設定部２００２または色相ポインタ２００４によって設定された入力色域における表示色相を示す。
【０１４０】
２１０４は、入力色域データ２１０２上にある入力最大彩度座標点である。入力最大彩度座標点２１０４に対して、選択された外郭写像手法による写像結果座標は、入力最大彩度色度写像点２１０６に示される。なお、入力最大彩度座標点２１０４と入力最大彩度色度写像点２１０６の対応関係を、線分２１０５によって示す。
【０１４１】
さらに、出力色域外郭データ２１０３上における写像結果２１０７等の白四角点は、入力色相上の入力最大彩度座標点２１０４を含む入力色域外郭データ上の離散的な色度点を、それぞれに対して選択された外郭写像手法によって写像した結果を示す。
【０１４２】
なお、出力色域外郭データ２１０３上における写像結果２１０７等の白四角点は、第３実施形態における第１の外郭写像手法（外郭写像Ａ）による第１の写像結果を示すものである。第３実施形態では、その比較対象として第２の外郭写像手法（外郭写像Ｂ）による第２の写像結果も黒丸２１０８等によって示されるが、これについては後述する。
【０１４３】
次に、明度再現表示部２００６における結果表示の詳細について、図２２を用いて説明する。図２２は所定の明度写像結果を示し、横軸，縦軸にはそれぞれ、入力色域データ２１０２，出力色域外郭データ２１０３の明度範囲が示される。さらに、出力白色点２２０１と出力黒色点２２０２、および、設定された入力色相における、入力色域外郭データ上の最大彩度色度点（カスプ）明度の写像結果として、最大彩度色度点明度写像点２２０３が示される。グラフ２２０４は、入力色域外郭データ上の離散的な色度点明度の入力に対して、選択された外郭写像手法による出力色域外郭データ上への写像結果を示すものである。  なお、明度再現表示部２００６においても明度彩度表示部２００５と同様に、グラフ２２０４は、第３実施形態における第１の外郭写像手法（外郭写像Ａ）による第１の写像結果を示すものである。第２の外郭写像手法（外郭写像Ｂ）による第２の写像結果もグラフ２２０５として示されるが、これについては後述する。
【０１４４】
次に、色度平面表示部２００７における結果表示の詳細について、図２３を用いて説明する。図２３によれば、所定の色度平面上において、入力色域データ２３０１、出力色域データ２３０２がそれぞれ示されている。さらに、入力色相線２３０３および出力色相線２３０４がそれぞれ示されている。入力色相表示部２３０５は、色相設定部２００２または色相ポインタ２００４によって設定される入力色域における表示色相を示している。また出力色相表示部２３０６は、色相設定部２００２または色相ポインタ２００４によって設定される入力色域上の色相に対する、色域写像部２１１による写像色相を示す。
【０１４５】
以上説明したように、明度彩度表示部２００５、明度再現表示部２００６、色度平面表示部２００７における表示によって、ユーザは、入力色域における入力色度点と出力色域における写像結果色度点との関係を、座標上で確認することができる。
【０１４６】
以上、第３実施形態における第１の写像結果の表示について説明した。ここで、明度彩度表示部２００５の結果表示、および明度再現表示部２００６の結果表示については、第３実施形態において選択可能な外郭写像手法における写像結果座標として、複数の外郭写像手法による写像結果を同時に示すことを可能とする。すなわち、上述したような第２の写像結果の表示を可能とする。これは、図１９に示した外郭写像処理手法初期設定Ｕ／Ｉ１９０１によって選択された外郭写像手法による写像結果についてユーザが確認すると同時に、他の外郭写像手法による写像結果についての比較、確認を可能とするためである。
【０１４７】
以下、複数の写像点を比較するための第２の写像結果の表示例について説明する。なお、第３実施形態においては第１および第２の２つの外郭写像手法についての表示を行う例を示すが、同様の方法によって３つ以上の外郭写像手法を表示することも可能である。
【０１４８】
まず、図２０に示す外郭写像手法詳細結果表示Ｕ／Ｉ２００１上において、色度座標値表示部２００８で複数の外郭写像手法を設定する必要がある。それに先立って、ユーザは、色相設定部２００２または色相ポインタ２００４によって確認したい入力色域上の色相の設定を行う。色相が設定されると、設定色相上の入力色域外郭データ上の離散的な色度点の座標点情報が入力階調座標として表示される。すなわち、色度点データ表示部２０１３、２０１４・・・に表示された離散的な色度点のそれぞれについて、明度表示部２０１５、色度座標表示部２０１６，２０１７、彩度値表示部２０１８への表示がなされる。
【０１４９】
また、外郭写像手法による入力色度点座標の写像結果については、写像結果座標として各表示部２０１９〜２０２６に写像手法とともに表示される。写像手法表示部２００９，２０１１には、写像処理用に選択された外郭写像手法名称が表示される。この例では、外郭写像Ａ，Ｂとしての２つの外郭写像手法による写像結果座標を表示可能である。
【０１５０】
以下、複数の外郭写像手法の設定方法について説明する。
【０１５１】
まず、初期値として設定された外郭写像手法について、その名称が写像手法表示部２００９に表示され、該外郭写像手法による写像結果が、写像結果座標表示部２０１９〜２０２２に表示される。ここで、ダウンリストボタン２０１０の操作により表示される外郭写像手法リストの中から、写像結果座標表示部２０１９〜２０２２に示す写像点に対する写像手法を、個別に選択設定することが可能である。
【０１５２】
そして写像結果の比較を行うためには、外郭写像Ａとして写像手法表示部２００９に設定された外郭写像手法に対し、写像結果座標表示部２０１１でダウンリストボタン２０１２を操作し、比較対象となる外郭写像手法を選択し、外郭写像Ｂとして設定する。その結果、写像結果座標表示部２０２３〜２０２６に、外郭写像Ｂによる写像結果として写像点座標情報が表示されると同時に、明度彩度表示部２００５、明度再現表示部２００６において、第２の写像結果が表示される。
【０１５３】
明度彩度表示部２００５においては図２１に示すように、第２の写像結果として黒丸で示される写像結果色度点２１０８等が表示される。また明度再現表示部２００６においては図２２に示すように、入力色域外郭データ上の離散的な色度点明度の入力に対し、第２の写像結果がグラフ２２０５として表示される。
【０１５４】
また、ユーザが色相設定部２００２または色相ポインタ２００４によって入力色域上の色相の設定を変更することによって、明度彩度表示部２００５、明度再現表示部２００６、色度平面表示部２００７における表示が連動して変更される。
【０１５５】
また、図１９に示す外郭写像処理手法初期設定Ｕ／Ｉ１９０１において、外郭写像手法設定部１９０４で写像手法を切り替えた場合にも、明度彩度表示部２００５、明度再現表示部２００６、色度平面表示部２００７における表示が連動して変更される。
【０１５６】
以上の操作によって、ユーザは、異なる外郭写像手法による写像結果の違いについて、写像色度点情報による確認を行うことが可能となる。
【０１５７】
●色域内写像点詳細結果表示Ｕ／Ｉ
図２４は、上述した図１９に示す外郭写像処理手法初期設定Ｕ／Ｉ１９０１によって選択された外郭写像処理を用いた、入力色域内色度点の写像結果を確認するためのＵ／Ｉ例を示す図である。なお、図２４に示すＵ／Ｉは、不図示のメインメニューにおいて色域内写像確認を示すボタンがユーザによって選択されることにより表示される。
【０１５８】
図２４に２４０１で示す色域内写像点詳細結果表示Ｕ／Ｉは、座標データによる確認を行うための表示部と、さらに異なる外郭写像手法による再現結果を比較するための詳細設定を可能とする詳細設定部の２つの構成を有する。
【０１５９】
まず、色域内写像点詳細結果表示Ｕ／Ｉ２４０１における確認表示について説明する。図１９の外郭写像処理手法初期設定Ｕ／Ｉ１９０１で入力された入力色域データと出力色域データについて、選択された外郭写像手法を標準の外郭写像手法として用いた第１または第２実施形態における入力色域内色度点の写像処理結果を、初期値として表示する。写像結果の確認表示は、具体的には以下のように行われる。まず、色度平面表示部２４０２に、任意の入力色度点座標、および該座標に対する入力色域と出力色域を色度平面へ投影した色域と、写像色度点結果座標を表示する。明度彩度表示部２４０３には、任意の入力色度点座標、および該座標における入力色相上の入力色域等色相断面と、写像色相における出力色域等色相断面、および明度彩度断面における写像色度点結果座標を表示する。なお、各表示部の詳細については後述する。
【０１６０】
次に、写像結果比較用の詳細設定に用いられる、色度座標値表示部２４０４について説明する。まず、ユーザは入力色度点設定部２４０９，２４１１に対し、確認したい入力色域上の色度点座標を設定する。なお、ここでは入力色度点座標を複数設定することが可能である。該設定が完了すると、明度表示部２４１３，２４１７、色度座標表示部２４１４，２４１５，２４１８，２４１９、彩度値表示部２４１６，２４２０にそれぞれ表示がなされる。
【０１６１】
選択された外郭写像手法および色域内写像手法による入力色度点座標の写像結果については、写像結果座標表示部２４１０に、写像に用いた写像手法とともに表示される。なお、写像結果座標表示部としては、写像手法の数分を用意し、それぞれに表示を行うことが可能である。写像結果座標表示部２４１０においては、写像手法表示部２４０５，２４０７に、選択された外郭写像手法名称が表示される。ここで、初期値として設定された外郭写像手法について、その名称が写像手法表示部２４０５に表示され、該外郭写像手法による写像結果が、写像結果座標表示部２４１３〜２４１５に表示される。なお、ダウンリストボタン２４０６，２４０８の操作により表示される外郭写像手法リストの中から、写像結果座標表示部２４１３〜２４１５に示す写像点に対する写像手法を、個別に選択設定することが可能である。
【０１６２】
色度平面表示部２４０２における結果表示の詳細について、図２５を用いて説明する。図２５によれば色度平面表示部２４０２には、所定の色度平面上において、入力色域データ２５０３、出力色域データ２５０４がそれぞれ色度平面上に投影表示されている。入力色相表示部２５０１は、入力色度点座標における色相を表示する。また出力色相表示部２５０２は、入力色度座標に対する、出力写像色度点座標における色相を表示する。入力色域データ２５０３上の入力点として入力色度点座標２５０５を示す。入力色度点座標２５０５における写像結果は、選択された外郭写像手法における写像結果座標として、第１の外郭写像手法による写像結果色度点座標２５０６、および第２の外郭写像手法による写像結果色度点座標２５０７に示される。
【０１６３】
次に、明度彩度表示部２４０３における結果表示の詳細について、図２６を用いて説明する。図２６によれば明度彩度表示部２４０３には、所定の明度彩度平面上において、入力色相における入力色域データの明度彩度断面データ２６０３、出力色相における出力色域データの明度彩度断面データ２６０４がそれぞれ示されている。入力色相表示部２６０１は、入力色度点座標における色相を表示し、出力色相表示部２６０２は、入力色度点座標に対する出力写像色度点座標の色相を表示する。明度彩度断面データ２６０３における入力点として入力色度点座標２６０５を示す。入力色度点座標２６０５における写像結果は、選択された外郭写像手法における写像結果座標として、第１の外郭写像手法による写像結果色度点座標２６０６、および第２の外郭写像手法による写像結果色度点座標２６０７に示される。
【０１６４】
●カスタム外郭写像手法設定Ｕ／Ｉ
図２７は、上述した図４に示すユーザによる任意アルゴリズムの写像手法４０５として外郭写像手法格納部２０６に登録される、カスタム外郭写像手法を設定するためのＵ／Ｉ例を示す図である。なお、図２７に示すＵ／Ｉは、不図示のメインメニューにおいて色域内写像確認を示すボタンがユーザによって選択されることにより表示される。
【０１６５】
図２７に示すカスタム外郭写像手法設定Ｕ／Ｉ２７０１は、上述した第１実施形態における外郭写像手法において、入力色域外郭データ上を複数の領域に分割し、各領域における写像処理方法をユーザが任意に設定可能とするＵ／Ｉである。
【０１６６】
カスタム外郭写像手法設定Ｕ／Ｉ２７０１は、以下の設定項目を有する。まず、入力色域外郭データ上の入力最大彩度点について、出力色域外郭上への写像処理方法を設定するための入力最大彩度点写像表示設定部２７０２である。また、入力外郭上の白色点とハイライト境界色度点間の色度点について、出力色域外郭上への写像処理方法を設定するためのハイライト領域写像表示設定部２７０３がある。また、入力外郭上の黒色点（８０４）とシャドウ境界色度点（８０２）間の色度点について、出力色域外郭上への写像処理方法を設定するためのシャドウ領域写像表示設定部２７０４がある。また、入力外郭上における最大彩度点とハイライト境界色度点間の色度点について、出力色域外郭上への写像処理方法を設定するための入力最大彩度色度点領域写像（Ｗ）表示設定部２７０５がある。また、入力外郭上における最大彩度点とシャドウ境界色度点間の色度点について、出力色域外郭上への写像処理方法を設定するための入力最大彩度色度点領域写像（Ｂｋ）表示設定部２７０６がある。
【０１６７】
ここで、選択される写像処理の一例を挙げる。例えばハイライト領域，シャドウ領域写像表示設定部２７０３，２７０４については、上述した第１および第２実施形態における写像処理や、各領域における写像方向について、「等明度写像」や「明度彩度距離最短写像」等を設定することが可能である。また、入力最大彩度色度点領域写像（Ｗ），（Ｂｋ）表示設定部２７０５，２７０６については、第３実施形態では入力色域と出力色域間について明度による正規化を用いた写像を行っているが、彩度による正規化や色差量を用いて正規化した写像を行っても良い。
【０１６８】
以上説明した各表示設定部に対してユーザによる設定が終了すると、登録ボタン２７０７を押下することによって、格納ファイル設定表示部２７０８に表示される外郭写像手法格納ファイルに、外郭写像手法の内容が登録される。なお、参照ボタン２７０９によって、格納ファイル設定表示部２７０８に任意のファイルを読み込むことも可能である。
【０１６９】
ここで図２８に、格納ファイル設定表示部２７０８に表示される外郭写像手法格納ファイルのメモリ構成例を示す。同図に示すメモリ構成は、上述した図４に示す任意アルゴリズムの写像手法４０５に対応するものである。
【０１７０】
図２８によれば外郭写像手法格納ファイルは以下のメモリ構成からなる。まず、カスタムの外郭写像手法に対する名称を格納する名称メモリ２８０２を有する。また、カスタム外郭写像手法設定Ｕ／Ｉ２７０１によって定義される、入力最大彩度点写像手法格納部２８０３、ハイライト領域写像手法格納部２８０４、およびシャドウ領域写像手法格納部２８０５を有する。さらに、入力最大彩度色度点領域写像（Ｗ）手法格納部２８０６、入力最大彩度色度点領域写像（Ｂｋ）手法格納部２８０７を有する。
【０１７１】
図２８に示す各格納部はそれぞれ、対応する写像アルゴリズムを格納する写像アルゴリズム格納部２８０９と、該写像アルゴリズムを示すアルゴリズムインデックスを格納するアルゴリズムインデックス格納部２８０８を有する。第３実施形態では、外郭写像点設定部２０９において、写像アルゴリズム格納部２８０９に格納された写像アルゴリズムを、外郭写像アルゴリズムとして設定する。また、写像アルゴリズム格納部２８０９には、予め外郭写像手法格納部２０７における対応写像手法処理部に対する指定情報を格納しておいても良い。この場合、指定情報を外郭写像手法設定部２０８に渡すことで、対応写像手法処理部が有効となる。
【０１７２】
●画像再現比較Ｕ／Ｉ
第３実施形態においては、以上説明したＵ／Ｉを用いてユーザが設定した外郭写像手法によって、実際の画像再現結果を推定して表示し、ユーザが該写像結果を参照して最適な外郭写像手法を決定することができる。図２９に、この画像再現比較Ｕ／Ｉ例を示す。
【０１７３】
図２９に２９０１で示す画像再現比較Ｕ／Ｉにおいてはまず、入力画像設定部２９０２に対し、参照ボタン２９０３を用いて入力画像の格納場所を参照して入力画像データを設定する。入力画像表示部２９０４では、入力画像設定部２９０２で入力された画像のモニタ表示を行う。そして処理画像表示部２９０５，２９０６では、入力画像を出力装置で出力媒体上に出力した際の画像についてのシミュレーション画像を、それぞれ表示する。
【０１７４】
処理画像表示部２９０５，２９０６における選択ボタン２９０８〜２９１１，２９１２〜２９１５は、ユーザがそのいずれかを選択することによって、複数の外郭写像手法のうち、それぞれが対応する写像処理による再現画像が表示される。これにより、ユーザは複数の外郭写像手法による処理結果について、実際の画像を観察して、比較し確認することができる。例えば、選択ボタン２９０８〜２９１０，２９１２〜２９１４に対応する外郭写像手法は、上述した第１実施形態において図４に示されるように外郭写像手法格納部２０６内に格納された、予め用意されたアルゴリズムを示す。さらに、選択ボタン２９１１，２９１５に対応するカスタムな外郭写像手法は、外郭写像手法詳細設定Ｕ/Ｉ２７０１でユーザが任意の外郭写像手法をカスタマイズしたものである。
【０１７５】
以上の選択ボタンについて選択し、補正画像表示ボタン２９１８を動作させることによって、処理画像表示部２９０５と２９０６に再現結果が表示される。また、テストプリントボタン２９１６，２９１７を動作させることによって、設定した外郭写像手法による写像処理を用いて、画像処理部１０５内で色補正プロファイルのプロトタイプを作成し、指定されたテスト画像について出力装置による出力がなされる。これによりユーザは、実際の写像処理による画像再現出力を確認することができる。
【０１７６】
以上説明したように第３実施形態によれば、ユーザによる外郭写像手法の選択と設定が可能となると共に、異なる外郭写像手法による写像結果について比較検討を行うことが可能となる。さらに、ユーザのニーズに従って、異なる外郭写像手法の切り替えを行うことが可能になる。また、実際の入力画像に対して、色域写像処理結果による画像再現を外郭写像手法毎に確認することができる。このように第３実施形態においては、Ｕ／Ｉを用いた外郭写像手法の切替・変更を行って画像処理装置における色補正プロファイルを作成することにより、ユーザの意図する画像色再現を実現することができる。
【０１７７】
＜他の実施形態＞
以上、実施形態例を詳述したが、本発明は例えば、システム、装置、方法、プログラム若しくは記憶媒体(記録媒体)等としての実施態様をとることが可能である。具体的には、複数の機器（例えば、ホストコンピュータ、インタフェース機器、撮像装置、webアプリケーション等）から構成されるシステムに適用しても良いし、また、一つの機器からなる装置に適用しても良い。
【０１７８】
尚本発明は、前述した実施形態の機能を実現するソフトウェアのプログラムを、システムあるいは装置に直接あるいは遠隔から供給し、そのシステムあるいは装置のコンピュータが該供給されたプログラムコードを読み出して実行することによっても達成される。なお、この場合のプログラムとは、実施形態において図に示したフローチャートに対応したプログラムである。
【０１７９】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【０１８０】
その場合、プログラムの機能を有していれば、オブジェクトコード、インタプリタにより実行されるプログラム、OSに供給するスクリプトデータ等の形態であっても良い。
【０１８１】
プログラムを供給するための記録媒体としては、以下に示す媒体がある。例えば、フロッピー（登録商標）ディスク、ハードディスク、光ディスク、光磁気ディスク、MO、CD-ROM、CD-R、CD-RW、磁気テープ、不揮発性のメモリカード、ROM、DVD(DVD-ROM，DVD-R)などである。
【０１８２】
プログラムの供給方法としては、以下に示す方法も可能である。すなわち、クライアントコンピュータのブラウザからインターネットのホームページに接続し、そこから本発明のコンピュータプログラムそのもの(又は圧縮され自動インストール機能を含むファイル)をハードディスク等の記録媒体にダウンロードする。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるWWWサーバも、本発明に含まれるものである。
【０１８３】
また、本発明のプログラムを暗号化してCD-ROM等の記憶媒体に格納してユーザに配布し、所定の条件をクリアしたユーザに対し、インターネットを介してホームページから暗号化を解く鍵情報をダウンロードさせることも可能である。すなわち該ユーザは、その鍵情報を使用することによって暗号化されたプログラムを実行し、コンピュータにインストールさせることができる。
【０１８４】
また、コンピュータが、読み出したプログラムを実行することによって、前述した実施形態の機能が実現される。さらに、そのプログラムの指示に基づき、コンピュータ上で稼動しているOSなどが、実際の処理の一部または全部を行い、その処理によっても前述した実施形態の機能が実現され得る。
【０１８５】
さらに、記録媒体から読み出されたプログラムが、コンピュータに挿入された機能拡張ボードやコンピュータに接続された機能拡張ユニットに備わるメモリに書き込まれた後、実行されることによっても、前述した実施形態の機能が実現される。すなわち、該プログラムの指示に基づき、その機能拡張ボードや機能拡張ユニットに備わるCPUなどが実際の処理の一部または全部を行うことが可能である。
【図面の簡単な説明】
【０１８６】
【図１】第１実施形態における画像処理装置の概略構成を示すブロック図である。
【図２】第１実施形態における画像処理部の詳細構成を示すブロック図である。
【図３】第１実施形態における色変換プロファイルの作成処理を示すフローチャートである。
【図４】第１実施形態における外郭写像手法の格納例を示す図である。
【図５】第１実施形態における印象一致外郭写像を実現する外郭写像点設定部の詳細構成を示すブロック図である。
【図６】第１実施形態における印象一致外郭写像処理を示すフローチャートである。
【図７】第１実施形態における印象一致外郭写像処理の概要を示す図である。
【図８】第１実施形態における印象一致外郭写像処理の概要を示す図である。
【図９】第１実施形態における印象一致外郭写像処理の概要を示す図である。
【図１０】第１実施形態における印象一致外郭写像処理の概要を示す図である。
【図１１】第１実施形態において入力色域明度範囲と出力色域明度範囲が異なる場合の明度変換カーブ例を示す図である。
【図１２】第１実施形態における明度変換カーブを用いた外郭写像処理の概要を示す図である。
【図１３】第２実施形態におけるシャドウ部の印象一致外郭写像処理の概要を示す図である。
【図１４】第２実施形態における黒色点とシャドウ境界色度点間の明度写像結果を示す図である。
【図１５】第１本実施形態における色域内写像処理の概要を示す図である。
【図１６】第１実施形態における色域内写像を実現する色域写像部の詳細構成を示すブロック図である。
【図１７】第１実施形態における色域内写像処理を示すフローチャートである。
【図１８】第１実施形態の色域内写像処理における彩度圧縮曲線例を示す図である。
【図１９】第３実施形態における外郭写像手法選択用のＵ／Ｉ例を示す図である。
【図２０】第３実施形態において選択された外郭写像結果確認用のＵ／Ｉ例を示す図である。
【図２１】第３実施形態における外郭写像結果についての明度彩度表示例を示す図である。
【図２２】第３実施形態における外郭写像結果についての明度再現表示例を示す図である。
【図２３】第３実施形態における外郭写像結果についての色度平面表示例を示す図である。
【図２４】第３実施形態における色域内写像結果確認用のＵ／Ｉ例を示す図である。
【図２５】第３実施形態における色域内写像結果についての色度平面表示例を示す図である。
【図２６】第３実施形態における色域内写像結果についての明度彩度表示例を示す図である。
【図２７】第３実施形態におけるカスタム外郭写像手法設定用のＵ／Ｉ例を示す図である。
【図２８】第３実施形態における外郭写像手法格納ファイルのメモリ構成例を示すである。
【図２９】第３実施形態における画像再現比較Ｕ／Ｉ例を示す図である。
【図１】
2008187515.tif 000003
【図２】
2008187515.tif 000004
【図３】
2008187515.tif 000005
【図４】
2008187515.tif 000006
【図５】
2008187515.tif 000007
【図６】
2008187515.tif 000008
【図７】
2008187515.tif 000009
【図８】
2008187515.tif 000010
【図９】
2008187515.tif 000011
【図１０】
2008187515.tif 000012
【図１１】
2008187515.tif 000013
【図１２】
2008187515.tif 000014
【図１３】
2008187515.tif 000015
【図１４】
2008187515.tif 000016
【図１５】
2008187515.tif 000017
【図１６】
2008187515.tif 000018
【図１７】
2008187515.tif 000019
【図１８】
2008187515.tif 000020
【図１９】
2008187515.tif 000021
【図２０】
2008187515.tif 000022
【図２１】
2008187515.tif 000023
【図２２】
2008187515.tif 000024
【図２３】
2008187515.tif 000025
【図２４】
2008187515.tif 000026
【図２５】
2008187515.tif 000027
【図２６】
2008187515.tif 000028
【図２７】
2008187515.tif 000029
【図２８】
2008187515.tif 000030
【図２９】
2008187515.tif 000031